(57)【要約】【課題】  ストリップ構造による優れた電気的特性を損なうことなく、薄型化して優れた可撓性及び耐屈曲性を実現することができ、コストパフォーマスを向上させることができるフレキシブルフラットケーブルを提供する。【解決手段】  フレキシブルフラットケーブル１は、所定のピッチで配列された複数の導体１１を含むケーブル本体１０の伝送路幅と略同幅を有し、当該ケーブル本体１０を両側から挟装するように設けられた絶縁材としての空気含有層と、この空気含有層の表面を被覆し、且つ、ケーブル本体１０の両端の端子部におけるグラウンド層と導通するように設けられたシールド材２３，２４とを備える。空気含有層は、ケーブル本体１０の伝送路幅と略同幅に切断された不織布１４，１５を用いて構成されている。【選択図】  図２
2008277254.tif 000002
【特許請求の範囲】
【請求項１】
所定のピッチで配列された複数の導体を含むケーブル本体の伝送路幅と略同幅を有し、当該ケーブル本体を両側から挟装するように設けられた絶縁材としての空気含有層と、
上記空気含有層の表面を被覆し、且つ、上記ケーブル本体の両端の端子部におけるグラウンド層と導通するように設けられたシールド材とを備え、
上記空気含有層は、上記ケーブル本体の伝送路幅と略同幅に切断された不織布を用いて構成されていること
を特徴とするフラットケーブル。
【請求項２】
上記不織布は、難燃性を有するものであること
を特徴とする請求項１記載のフラットケーブル。
【請求項３】
上記不織布は、難燃剤を含漬させたセルロース系又は芳香族アラミド系のものであること
を特徴とする請求項２記載のフラットケーブル。
【請求項４】
上記シールド材は、基材フィルムにシールド層としての金属層を蒸着させた金属蒸着シールド材の下層に、導電性接着層が設けられて構成されたものであり、上記導電性接着層を介して、上記グラウンド層と導通するように貼着されていること
を特徴とする請求項１乃至請求項３のうちいずれか１項記載のフラットケーブル。
【請求項５】
上記金属層は、銀層であること
を特徴とする請求項４記載のフラットケーブル。
【請求項６】
上記グラウンド層は、グラウンド用金属層と接着層とを積層して構成されたものであり、上記接着層を介して、上記不織布の端部から上記ケーブル本体の端子部にかけて貼着されていること
を特徴とする請求項１乃至請求項５のうちいずれか１項記載のフラットケーブル。
【請求項７】
上記グラウンド用金属層は、アルミニウム層であること
を特徴とする請求項６記載のフラットケーブル。
【請求項８】
上記複数の導体は、それぞれ、所定の金属メッキによって表面処理を施した軟銅製のものであること
を特徴とする請求項１乃至請求項７のうちいずれか１項記載のフラットケーブル。
【発明の詳細な説明】
【技術分野】
【０００１】
本発明は、各種電子機器製品内部に配設される各種部品の中継ケーブルとして使用されるフラットケーブルに関する。
【背景技術】
【０００２】
従来から、パーソナルコンピュータ、薄型テレビジョン、プリンタ、スキャナといった各種電子機器製品においては、その内部に配設される各種部品の中継ケーブルとして、フラットケーブルが使用されることが多い。フラットケーブルとしては、いわゆるエッチング法を用いて製造されるフレキシブルプリント基板（Flexible Print Circuit）タイプのものがあるが、高価であるとともに、製造インフラの都合上、ケーブル長を１０００ｍｍ以下にしかできないのが現状であり、大型化が加速している薄型テレビジョンへの対応が困難となりつつある。
【０００３】
そこで、フレキシブルプリント基板タイプのフラットケーブルに代わり、いわゆるラミネート法を用いて製造されるフレキシブルフラットケーブル（Flexible Flat Cable）が注目されている。フレキシブルフラットケーブルは、その優れた可撓性から可動部にも使用することができ、フレキシブルプリント基板タイプと比較して製造コストが安価であり、製品単価も安価であるという観点から、幅広い分野に適用されつつある。
【０００４】
ところで、フレキシブルフラットケーブルは、従来、特性インピーダンス等の電気的特性を要求されることはなかった。そのため、フレキシブルフラットケーブルは、例えば図８に示すように、中心導体１０１を、所定の接着層１０２が付されたポリエチレンテレフタレート等の基材フィルム１０３によって両側から挟装し、これをラミネートすることによって両側の基材フィルム１０３を接着するのみで、必要な仕様を満たすことが可能とされていた。
【０００５】
これに対して、近年では、ノートブック型のパーソナルコンピュータや薄型テレビジョンといった画質の高精細化を実現した各種電子機器製品が開発されたのにともない、信号伝送の高速化が要求されている。また、他の電子機器製品においても、ディジタル化が進むにつれ、信号伝送の高速化が必要不可欠な技術的課題とされている。
【０００６】
このような信号伝送の高速化を図るには、特性インピーダンスの制御が必須となる。このような特性インピーダンスを制御したインピーダンスコントロールケーブルは、その性能向上は勿論のこと、安価なものが待望されている。
【０００７】
ここで、フラットタイプのインピーダンスコントロールケーブルとしては、例えば図９に示すように、伝送路を構成する導体２０１及び誘電体２０２の片面にグラウンド２０３が位置するマイクロストリップ構造のものと、例えば図１０に示すように、伝送路を構成する導体３０１及び誘電体３０２の両面にグラウンド３０３が位置するストリップ構造のものとがある。これらマイクロストリップ構造及びストリップ構造のインピーダンスコントロールケーブルは、既に市場に導入されており、特にマイクロストリップ構造のものは、一部の薄型テレビジョンに採用されている。
【０００８】
このような特性インピーダンスの制御が可能なフレキシブルフラットケーブルは、例えば図１１に示すように、中心導体４０１の周囲を誘電体４０２で被覆し、さらにその周囲を外部導体４０３によって被覆することによって形成されたハイエンドモデルの極細同軸ケーブルの代替品として注目されており、低コスト化の観点から期待されている。
【０００９】
なお、フレキシブルフラットケーブルにおいて、特性インピーダンスの制御を試みた技術としては、例えば特許文献１に記載されたものがある。
【００１０】
【特許文献１】特開２００３−３１０３３号公報
【００１１】
具体的には、この特許文献１には、複数の導体が平行に配列された導体列と、この導体列を両側から挟んだ後にラミネート加工された接着層付き発泡絶縁体と、両接着層付き発泡絶縁体をさらに両側から挟んだ導電性接着層付き金属層とを備えたフレキシブルフラットケーブルが開示されている。このように、このフレキシブルフラットケーブルは、導体列を発泡絶縁体によって両側から挟んだ後にラミネート加工することにより、発泡絶縁体の誘電率を空気の誘電率と複合させ、複合誘電率を発泡していない従来の絶縁体の誘電率よりも低くすることができることから、特性インピーダンスのファクタである静電容量を制御し、特性インピーダンスを５０Ωとすることができるとしている。なお、このフレキシブルフラットケーブルにおいては、発泡絶縁体の厚みが１５０μｍ乃至２５０μｍと比較的大きく、また、導電性接着層付き金属層として、アルミニウム箔と基材フィルムとを積層したものを用いている。
【発明の開示】
【発明が解決しようとする課題】
【００１２】
ところで、信号伝送用のケーブルは、一般に、信号伝送速度が高速になるとノイズに対する耐性の低下等が生じることから、高速伝送に対応したものが要求されることになる。しかしながら、かかるケーブルにおいては、信号伝送速度の高速化にともない、不要輻射（Electromagnetic Interference；ＥＭＩ）が問題となる。すなわち、信号伝送においては、信号が高い周波数になるのにともない、不要輻射ノイズ（電波）の漏洩が無視できなくなり、隣接するケーブル等にノイズが入り込み、誤動作や伝送損失といった悪影響を招来することが知られている。
【００１３】
ここで、ノイズの発生源を金属膜で封じ込むことによってノイズの漏洩を防止することが考えられる。この観点から、上述したグラウンド２０３が伝送路の片面のみに設けられたマイクロストリップ構造のフレキシブルフラットケーブルは、例えば図１２に示すように、グラウンド２０３が設けられた面と対向する面の輻射抑制を期待することはできない。そのため、マイクロストリップ構造のフレキシブルフラットケーブルにおいては、その輻射問題が取りだたされており、商品に実装する上で、この種のケーブルの採用を見送るケースも生じている。
【００１４】
これに対して、例えば図１３に示すストリップ構造のフレキシブルフラットケーブルは、両面のグラウンド３０３がシールド層として作用することから、輻射抑制には適しているものの、かかるシールド層は、電気的特性を制御するものではない。むしろ、この種のフレキシブルフラットケーブルにおいては、グラウンド３０３が伝送路の両面に位置することに起因して、伝送路とグラウンド３０３との結合が強くなり、インピーダンスが低下するという問題を招来する。そのため、この種のケーブルにおいては、伝送路幅の狭細化、誘電体の低誘電率化、誘電体の厚みを厚くすることによる伝送路とグラウンドとの間隙の広大化等の方法により、インピーダンスの低下を防止している。
【００１５】
ここで、ストリップ構造のフレキシブルフラットケーブルにおけるインピーダンスの低下を防止する方法としては、実現可能な伝送路幅や誘電率に限界があることから、実際には、伝送路とグラウンドとの間隙を広くする方法が主に採用されている。そのため、この種のフレキシブルフラットケーブルにおいては、その厚みが厚くなり、可撓性の低下を招来してしまい、実装した電子機器内部での配線を柔軟に行うことができないという問題が現実化している。また、フレキシブルフラットケーブルにおいては、屈曲時に受けるストレスの観点からも薄く形成するのが望ましい。このような問題は、ストリップ構造ゆえの問題であり、各製造会社が問題解決に努力しているものの、かかる特性を満たすフレキシブルフラットケーブルを製造することができず、また、製造方法の複雑化にともなうコストの高騰も懸念されているのが現状である。
【００１６】
本発明は、このような実情に鑑みてなされたものであり、ストリップ構造による優れた電気的特性を損なうことなく、薄型化して優れた可撓性及び耐屈曲性を実現することができ、コストパフォーマスを向上させることができるフラットケーブルを提供することを目的とする。
【課題を解決するための手段】
【００１７】
本発明にかかるフラットケーブルは、絶縁材の厚み及びその誘電率が特性インピーダンスに影響することに着目し、電気的特性を制御しつつ優れた可撓性及び耐屈曲性を実現する最適な材料を見出すことによって独自に考案されたものである。
【００１８】
すなわち、上述した目的を達成する本発明にかかるフラットケーブルは、所定のピッチで配列された複数の導体を含むケーブル本体の伝送路幅と略同幅を有し、当該ケーブル本体を両側から挟装するように設けられた絶縁材としての空気含有層と、上記空気含有層の表面を被覆し、且つ、上記ケーブル本体の両端の端子部におけるグラウンド層と導通するように設けられたシールド材とを備え、上記空気含有層は、上記ケーブル本体の伝送路幅と略同幅に切断された不織布を用いて構成されていることを特徴としている。
【００１９】
このような本発明にかかるフラットケーブルにおいては、絶縁材として機能する空気含有層として不織布を用いることにより、樹脂製の絶縁材を用いた場合と比較してケーブル厚みを薄型化することが可能となり、優れた可撓性及び耐屈曲性を実現することができる。
【００２０】
また、本発明にかかるフラットケーブルにおいては、導体の幅及び厚みと不織布の厚みとを変化させることにより、誘電率を任意に調整し、特性インピーダンスの制御を行うことが可能となる。
【００２１】
さらに、本発明にかかるフラットケーブルにおいては、不織布として難燃性を有するものを用いるのが望ましい。
【発明の効果】
【００２２】
本発明は、ストリップ構造による優れた電気的特性を損なうことなく、薄型化して優れた可撓性及び耐屈曲性を実現したフラットケーブルを、安価な材料を用いて既存の製造プロセスによって製造することができる。
【発明を実施するための最良の形態】
【００２３】
以下、本発明を適用した具体的な実施の形態について図面を参照しながら詳細に説明する。
【００２４】
この実施の形態は、各種電子機器製品内部に配設される各種部品の中継ケーブルとして使用されるフレキシブルフラットケーブル（Flexible Flat Cable；ＦＦＣ）である。特に、このフレキシブルフラットケーブルは、ストリップ構造における可撓性の問題を解決するために、伝送路及び誘電体に空気含有層を設けて誘電率を任意に調整し、特性インピーダンスの制御を行うことができるものである。
【００２５】
図１に平面図、及び、図２に図１中Ａ−Ａ断面図を示すように、フレキシブルフラットケーブル１は、複数の導体１１を所定のピッチで平行に配列させた状態で、これら導体１１を所定の接着層が付与された第１の絶縁材１２と第２の絶縁材１３とによって両側から挟装してラミネート加工を施して構成されたケーブル本体１０を備える。すなわち、このケーブル本体１０は、ストリップ構造のケーブルとして構成される。導体１１としては、例えば錫メッキによって表面処理を施した軟銅製のものを用いることができる。また、第１の絶縁材１２及び第２の絶縁材１３としては、それぞれ、空孔を含有するポリエチレンテレフタレートからなる低誘電材料に所定の絶縁性接着層を積層したものを用いることができる。なお、絶縁性接着層としては、エポキシ樹脂、アクリル樹脂、メラミン樹脂、ポリアミド樹脂、ポリイミド樹脂等をバインダー樹脂としたものを用いることができ、特に、接着強度や入手の容易さの観点から、エポキシ樹脂又はアクリル樹脂をバインダー樹脂としたものを用いるのが望ましい。
【００２６】
このようなケーブル本体１０は、当該ケーブル本体１０の伝送路幅と略同幅を有する空気含有層としての第１の不織布１４と第２の不織布１５とによって両側から挟装される。これら第１の不織布１４及び第２の不織布１５は、それぞれ、両面テープ等の所定の両面接着層１６，１７と貼り合わされた状態で、ケーブル本体１０の伝送路幅と略同幅に切断されて提供され、これら両面接着層１６，１７を介して当該ケーブル本体１０に貼着されることによって絶縁材として機能する。なお、フレキシブルフラットケーブル１を実装する電子機器の回路の高密度化にともなう発熱量は増大に起因する発火に対応するために、第１の不織布１４及び第２の不織布１５は、それぞれ、耐熱性に優れ、実用上の難燃性を有するものが望ましい。このような第１の不織布４１及び第２の不織布４２としては、難燃剤を含漬させたセルロース、ポリエステル、アラミド、ポリイミド等を繊維材とするものを用いることができ、特に、耐熱性や難燃性の観点から、難燃剤を含漬させたセルロース系又は芳香族アラミド系のものを用いるのが望ましい。
【００２７】
さらに、フレキシブルフラットケーブル１においては、ケーブル本体１０の両端の端子部に、グラウンド層を構成する第１のグラウンド箔１８と第２のグラウンド箔１９とが設けられる。これら第１のグラウンド箔１８及び第２のグラウンド箔１９は、それぞれ、例えば図３に示すように、金属層２０とアクリル系接着層２１とを積層したものとして構成され、アクリル系接着層２１の下層に剥離紙２２が貼着された状態で提供される。なお、金属層２０としては、金、銀、銅、鉛、その他良好な導電性を示す金属であればいかなるものを用いてもよく、特に、電気的特性や入手の容易さの観点から、銅やアルミニウムを用いるのが望ましい。また、アクリル系接着層２１に使用されるアクリレートとしては、単官能アクリレート、２官能アクリレート、３官能以上の多官能アクリレート等を用いることができ、これらを単独又は２種以上混合して使用してもよい。これら第１のグラウンド箔１８及び第２のグラウンド箔１９は、それぞれ、剥離紙２２が剥離されて露呈したアクリル系接着層２１を介して、第１の不織布１４及び第２の不織布１５の端部からケーブル本体１０の端子部にかけて貼着される。
【００２８】
さらにまた、フレキシブルフラットケーブル１においては、第１の不織布１４及び第２の不織布１５のそれぞれの表面を被覆するように、第１のシールド材２３と第２のシールド材２４とが設けられる。これら第１のシールド材２３及び第２のシールド材２４は、それぞれ、例えば図４に示すように、基材フィルムであるポリエチレンテレフタレートフィルム２５にシールド層としての銀層２６を蒸着させた銀蒸着シールド材の下層に、異方性導電接着フィルム（Anisotropic Conductive Film；ＡＣＦ）や異方性導電接着ペースト（Anisotropic Conductive Paste；ＡＣＰ）等の導電性接着層２７を設けたものとして構成される。これら第１のシールド材２３及び第２のシールド材２４は、それぞれ、導電性接着層２７を介して、第１のグラウンド箔１８及び第２のグラウンド箔１９と導通するように貼着される。これにより、第１のシールド材２３及び第２のシールド材２４は、グラウンドとしても機能する。なお、ここでは、銀層２６を蒸着させた銀蒸着シールド材としているが、第１のシールド材２３及び第２のシールド材２４に用いる金属としては、金、銀、銅、鉛、その他良好な導電性を示す金属であればいかなるものを用いてもよく、特に、電気的特性や入手の容易さの観点から、銀やアルミニウムを用いるのが望ましい。また、導電性接着層２７としては、エポキシ樹脂、アクリル樹脂、メラミン樹脂、ポリアミド樹脂、ポリイミド樹脂等をバインダー樹脂としたものを用いることができ、特に、接着強度や入手の容易さの観点から、エポキシ樹脂又はアクリル樹脂をバインダー樹脂としたものを用いるのが望ましい。
【００２９】
このようなフレキシブルフラットケーブル１は、絶縁材として第１の不織布１４及び第２の不織布１５を用いることにより、樹脂製の絶縁材を用いた場合と比較してケーブル厚みを薄型化することが可能となり、優れた可撓性を実現することができる。
【００３０】
また、フレキシブルフラットケーブル１は、樹脂製の絶縁材を用いずに、第１の不織布１４及び第２の不織布１５を用いることにより、屈曲時に受けるストレスに対する耐性を大幅に向上させることができる。
【００３１】
さらに、フレキシブルフラットケーブル１は、導体１１の幅及び厚みと第１の不織布１４及び第２の不織布１５の厚みとを変化させることにより、誘電率を任意に調整し、特性インピーダンスの制御を行うことができ、透過損失、アイパターン開口率、不要輻射（Electromagnetic Interference；ＥＭＩ）等、ストリップ構造による優れた電気的特性を損なうことがない。
【００３２】
さらにまた、フレキシブルフラットケーブル１は、第１の不織布１４及び第２の不織布１５として難燃性を有するものを用いることにより、難燃性を向上させることができる。
【００３３】
また、フレキシブルフラットケーブル１は、既存の製造プロセスと同様に、熱ラミネートによる製造が可能である。従来のように、絶縁材として樹脂を用いた場合には、その性状によって熱ラミネートによる製造は困難であり、熱プレスを行うことが必要となる。かかる熱プレスは、個片作業になることから、生産性やコストに影響し、市場の要求に沿わなくなるという問題がある。これに対して、フレキシブルフラットケーブル１は、熱ラミネートによる製造が可能であることから、生産性の向上及び製造コストの低廉化を図ることができる。また、フレキシブルフラットケーブル１は、熱ラミネートによる製造が可能であることから、例えば１．５ｍ程度にまで容易に長尺化することができ、高い歩留まりを実現することができる。
【００３４】
そして、フレキシブルフラットケーブル１は、安価な材料を用いて既存の製造プロセスによって製造することができることから、既存の設備で安価に製造することが可能であり、コストパフォーマスを向上させることができる。
【００３５】
このようなフレキシブルフラットケーブル１は、例えば高精細な画像伝送を行うことが要求されるノートブック型のパーソナルコンピュータや薄型テレビジョン等のように、信号の高速伝送が要求される各種電子機器製品に適用して極めて好適である。
【００３６】
なお、本発明は、上述した実施の形態に限定されるものではなく、その趣旨を逸脱しない範囲で適宜変更が可能であることはいうまでもない。
【００３７】
［実施例］
以下、本発明を適用したフレキシブルフラットケーブルの具体的な実施例について、実験結果に基づいて説明する。
【００３８】
本願発明者は、上述した導体１１、第１の絶縁材１２及び第２の絶縁材１３、第１の不織布１４及び第２の不織布１５、第１のグラウンド箔１８及び第２のグラウンド箔１９、並びに第１のシールド材２３及び第２のシールド材２４として、次表１及び次表２に示す仕様によるものを用い、図５に示すようなフレキシブルフラットケーブルを試作した。
【００３９】
【表１】
2008277254.tif 000003
【００４０】
【表２】
2008277254.tif 000004
【００４１】
具体的には、上表１に示す仕様にしたがって第１の実施例として作製したフレキシブルフラットケーブルは、第１の不織布１４及び第２の不織布１５として、難燃剤を含漬させたセルロース系の不織布を用いたものである。また、上表２に示す仕様にしたがって第２の実施例として作製したフレキシブルフラットケーブルは、第１の不織布１４及び第２の不織布１５として、芳香族アラミド系の不織布を用いたものである。
【００４２】
より具体的には、第１の実施例として作製したフレキシブルフラットケーブルにおいて、導体１１としては、幅０．２５ｍｍ×厚み０．０４０ｍｍからなり、錫メッキによって表面処理を施した軟銅製のものを用い、０．５ｍｍのピッチで平行に配列させた。また、第１の絶縁材１２及び第２の絶縁材１３としては、それぞれ、厚み２３μｍの空孔を含有するポリエチレンテレフタレートからなる低誘電材料に厚み４１μｍの絶縁性接着層を積層した総厚６４μｍのソニーケミカル＆インフォメーションデバイス社製の絶縁材「Ｆ２１００」を用いた。さらに、第１の不織布１４及び第２の不織布１５としては、厚み０．４５ｍｍからなるアンビック社製ヒメロン（登録商標）ＵＬＡ−Ｅシリーズ「Ｎ９５９２Ｅ」を用いた。さらにまた、第１のグラウンド箔１８及び第２のグラウンド箔１９としては、それぞれ、先に図３に示したように、厚み３０μｍのアルミニウムからなる金属層２０と厚み１０μｍのアクリル系接着層２１とを積層した総厚４０μｍのソニーケミカル＆インフォメーションデバイス社製のグラウンド箔「ＡＬ７０８０」を用いた。また、第１のシールド材２３及び第２のシールド材２４としては、それぞれ、先に図４に示したように、厚み９μｍのポリエチレンテレフタレートフィルム２５に厚み０．１μｍの銀層２６を蒸着させた銀蒸着シールド材の下層に厚み２０μｍの導電性接着層２７を設けた総厚２９．１μｍのタツタシステム・エレクトロニクス社製のシールド材「ＳＦ−ＦＣ７００」を用いた。そして、このような仕様による材料を用いてピン数が２０であり、ケーブル長が５００ｍｍのフレキシブルフラットケーブルを作製した。
【００４３】
なお、第１の不織布１４及び第２の不織布１５として用いたヒメロン（登録商標）ＵＬＡ−Ｅシリーズは、米国Underwriters Laboratories社によって評価されるＵＬ規格の中でも最も厳しい難燃規格である「ＵＬ９４」が定める垂直燃焼試験法の基準Ｖ−０に認定され、且つ、いわゆるＲｏＨＳ指令（６物質）に対応した不織布であり、加工性、通気性、緩衝性、寸法安定性に優れた環境規制の厳しい産業資材分野にも使用可能な素材である。かかるＵＬＡ−Ｅシリーズの「Ｎ９５９２Ｅ」の仕様は、単位面積あたりの重量が１００ｇ／ｍ２であり、引っ張り強さがＭＤ方向で８５Ｎ／５ｃｍ、ＣＤ方向で７０Ｎ／５ｃｍである。
【００４４】
一方、第２の実施例として作製したフレキシブルフラットケーブルにおいて、導体１１、第１の絶縁材１２及び第２の絶縁材１３、第１のグラウンド箔１８及び第２のグラウンド箔１９、並びに、第１のシールド材２３及び第２のシールド材２４としては、第１の実施例として作製したフレキシブルフラットケーブルにおいて用いたものと同一のものを用いた。また、第１の不織布１４及び第２の不織布１５としては、厚み０．１８５ｍｍからなる帝国繊維社製ノーメックス（登録商標）「ＮＸ４１１」を用いた。そして、このような仕様による材料を用いてピン数が２１であり、ケーブル長が５００ｍｍのフレキシブルフラットケーブルを作製した。
【００４５】
なお、第１の不織布１４及び第２の不織布１５として用いたノーメックス（登録商標）は、ｍ−フェニレンジアミンとイソフタル酸クロリドから共縮重合して得られるメタ系アラミド繊維の不織布であり、耐炎性や耐熱性に優れた素材である。ノーメックス（登録商標）のタイプ４１１は、アラミドポリマから作製されたフロック（短繊維）とファイブリッド（合成パルプ）とを水中に分散させて抄紙機にかけて製造されるものであり、ＵＬ規格の中でも最も厳しい難燃規格である「ＵＬ９４」が定める垂直燃焼試験法の基準Ｖ−０に認定されている。かかるノーメックス（登録商標）のタイプ４１１（厚み２５０μｍ）の仕様は、単位面積あたりの重量が０．５１ｋｇ／ｃｍ２であり、引っ張り強さがＭＤ方向で５．０Ｋｇ／１５ｍｍ、ＸＤ方向で２．９Ｋｇ／１５ｍｍである。
【００４６】
このような第１の実施例及び第２の実施例としてのフレキシブルフラットケーブルは、ともに、以下の工程にしたがって作製された。
【００４７】
まず、第１の不織布１４及び第２の不織布１５としてのヒメロン（登録商標）ＵＬＡ−Ｅシリーズ「Ｎ９５９２Ｅ」又はノーメックス（登録商標）「ＮＸ４１１」と、両面接着層１６，１７としての両面テープとをローラを用いて貼り合わせ、これを１２０℃でラミネートした。そして、ラミネートした不織布／両面テープ材を、ケーブル本体１０の伝送路幅と略同幅に切断した。なお、ケーブル本体１０は、上述した仕様の導体１１と第１の絶縁材１２及び第２の絶縁材１３とを用いて予め作製したものを用いた。
【００４８】
続いて、切断した不織布／両面テープ材を、ケーブル本体１０の両面にローラを用いて貼着し、これを１２０℃でラミネートした。そして、ラミネートしたケーブル本体１０の両端の端子部に、上述した仕様の第１のグラウンド箔１８及び第２のグラウンド箔１９を、ローラを用いて貼着した。
【００４９】
さらに、グラウンド箔を設けたケーブル本体１０の両面を、上述した仕様の第１のシールド材２３及び第２のシールド材２４によって被覆した。このとき、仮の貼着時にアイロンを用いることにより、脱気効果を得ることができる。
【００５０】
そして、シールド材を設けたケーブル本体１０を、皺防止治具を用いて１２０℃でラミネートした上で、さらに１２０℃で本ラミネートし、フレキシブルフラットケーブルを作製した。
【００５１】
本願発明者は、このようにして作製した２種類のフレキシブルフラットケーブルを用いて、いわゆるＴＤＲ（Time Domain Reflectometry）法によって差動インピーダンスを測定した。なお、ＴＤＲ法とは、１ＭＨｚ乃至３０ＧＨｚまでの高周波帯域における電磁波を測定し、その波形を時間軸上で表示することができる手法である。測定は、テクトロニクス社製のＴＤＲ測定器（型式：ＴＤＳ８０００Ｂ）及び同社製のＴＤＲモジュール（型式：８０Ｅ０４）を用いて行った。目標とする差動インピーダンスは、１００Ω±１５％である。第１の実施例として作製したフレキシブルフラットケーブルについての測定結果を図６に示し、第２の実施例として作製したフレキシブルフラットケーブルについての測定結果を図７に示す。
【００５２】
まず、第１の実施例として作製したフレキシブルフラットケーブルについては、図６中Ａに示すように、２系統の信号ｃｈ１，ｃｈ２を入力したときの差動インピーダンスが１０４Ωとなり、目標とする１００Ω±１５％を満たすことが確認された。
【００５３】
一方、第２の実施例として作製したフレキシブルフラットケーブルについては、図７中Ａに示すように、２系統の信号ｃｈ１，ｃｈ２を入力したときの差動インピーダンスが１０１Ωとなり、目標とする１００Ω±１５％を満たすことが確認された。
【００５４】
このように、フレキシブルフラットケーブルは、導体１１の幅及び厚みと第１の不織布１４及び第２の不織布１５の厚みとを適宜変化させることにより、誘電率を任意に調整し、所望の特性インピーダンス及び差動インピーダンスを実現することができる。また、本願発明者は、作製したフレキシブルフラットケーブルを用いて「ＵＬ９４」が定める水平燃焼試験を行った結果、その基準ＨＢを満たすことを確認した。
【図面の簡単な説明】
【００５５】
【図１】本発明の実施の形態として示すフレキシブルフラットケーブルの構成を説明する平面図である。
【図２】本発明の実施の形態として示すフレキシブルフラットケーブルの構成を説明する断面図であり、図１中Ａ−Ａ断面図である。
【図３】本発明の実施の形態として示すフレキシブルフラットケーブルに設けられる第１のグラウンド箔及び第２のグラウンド箔の構成を説明する断面図である。
【図４】本発明の実施の形態として示すフレキシブルフラットケーブルに設けられる第１のシールド材及び第２のシールド材の構成を説明する断面図である。
【図５】本発明の実施例として試作したフレキシブルフラットケーブルの構成を説明する平面図である。
【図６】第１の実施例として作製したフレキシブルフラットケーブルを用いて差動インピーダンスを測定した結果を説明する図である。
【図７】第２の実施例として作製したフレキシブルフラットケーブルを用いて差動インピーダンスを測定した結果を説明する図である。
【図８】従来のフレキシブルフラットケーブルの構成を説明する断面図である。
【図９】マイクロストリップ構造のフレキシブルフラットケーブルの構成を説明する断面図である。
【図１０】ストリップ構造のフレキシブルフラットケーブルの構成を説明する断面図である。
【図１１】極細同軸ケーブルの構成を説明する断面図である。
【図１２】マイクロストリップ構造のフレキシブルフラットケーブルの構成を説明する断面図であり、この種のケーブルの問題点を説明するための図である。
【図１３】ストリップ構造のフレキシブルフラットケーブルの構成を説明する断面図であり、この種のケーブルの問題点を説明するための図である。
【符号の説明】
【００５６】
１  フレキシブルフラットケーブル
１１  導体
１２  第１の絶縁材
１３  第２の絶縁材
１４  第１の不織布
１５  第２の不織布
１６，１７  両面接着層
１８  第１のグラウンド箔
１９  第２のグラウンド箔
２０  金属層
２１  アクリル系接着層
２２  剥離紙
２３  第１のシールド材
２４  第２のシールド材
２５  ポリエチレンテレフタレートフィルム
２６  銀層
２７  導電性接着層
【図１】
2008277254.tif 000005
【図２】
2008277254.tif 000006
【図３】
2008277254.tif 000007
【図４】
2008277254.tif 000008
【図５】
2008277254.tif 000009
【図６】
2008277254.tif 000010
【図７】
2008277254.tif 000011
【図８】
2008277254.tif 000012
【図９】
2008277254.tif 000013
【図１０】
2008277254.tif 000014
【図１１】
2008277254.tif 000015
【図１２】
2008277254.tif 000016
【図１３】
2008277254.tif 000017